(57)【要約】【課題】家庭用薄葉紙の品質を安定的に維持しつつ、クレーピングドクター装置の交換頻度を低減させるクリーニングドクター装置、並びにこれを用いた家庭用薄葉紙の製造方法及びこの方法により製造された家庭用薄葉紙を提供する。【解決手段】ウェブＷが付着され、一定の乾燥を経た後、クレーピングドクター装置２により表面から該ウェブＷが引き剥がされるヤンキードライヤー２の表面に臨む位置に設けられ、このヤンキードライヤー２の表面に施されたコーティングを均すクリーニングドクター装置で１あって、該クリーニングドクター装置１のブレード１０をセラミックブレードで構成し、クリーニングドクター装置のシリンダー圧を０．６〜１．８ｋｇｆ／ｃｍ2とする。【選択図】図１
2007177377.tif 000002
【特許請求の範囲】
【請求項１】
ウェブが付着され、一定の乾燥を経た後、クレーピングドクター装置により表面から該ウェブが引き剥がされるヤンキードライヤーの表面に臨む位置に設けられ、
このヤンキードライヤーの表面に施されたコーティングを均すクリーニングドクター装置であって、
該クリーニングドクター装置のブレードは、セラミックブレードで構成され、
クリーニングドクター装置のシリンダー圧は、０．６〜１．８ｋｇｆ／ｃｍ2である、
ことを特徴とするクリーニングドクター装置。  
【請求項２】
ヤンキードライヤーの表面にウェブを付着させ、一定の乾燥を経た後、クレーピングドクター装置を介して該ウェブをヤンキードライヤーから引き剥がして家庭用薄葉紙を製造する方法であって、
セラミックブレードで構成されたクリーニングドクター装置のブレードを用い、このクリーニングドクター装置のシリンダー圧を０．６〜１．８ｋｇｆ／ｃｍ2として、前記ヤンキードライヤーの表面に施されたコーティングを均す、
ことを特徴とする家庭用薄葉紙の製造方法。
【請求項３】
請求項２記載の家庭用薄葉紙の製造方法により製造されたことを特徴とする、家庭用薄葉紙。
【発明の詳細な説明】
【技術分野】
【０００１】
本発明は、クリーニングドクター装置、並びにこれを用いた家庭用薄葉紙の製造方法及びこの方法により製造された家庭用薄葉紙に関し、詳しくはヤンキードライヤーを用いた家庭用薄葉紙の製造装置におけるクリーニングドクター装置、並びにこれを用いた家庭用薄葉紙の製造方法及びこの方法により製造された家庭用薄葉紙に関するものである。
【背景技術】
【０００２】
ティシュー、トイレットペーパなどのクレープ紙等の家庭用薄葉紙は、加熱されたヤンキードライヤーの表面にウェブを押しつけ付着させ、一定の乾燥を経た後、クレーピングドクター装置を介してウェブをヤンキードライヤーから引き剥がす工程を経て生産されている。この工程において、効率よくかつ高速で家庭用薄葉紙を抄造するには、ヤンキードライヤー表面での紙の接着性をうまくコントロールする必要がある。そのため、コーティング剤やコーティング歩留剤をヤンキードライヤーに塗布（散布）し、ドライヤーを保護すると共に、クレーピングドクター装置の摩擦を減らしている。そして、時間経過でコーティングは厚みを増し硬くヤンキードライヤーの表面に堆積するため、剥離剤で硬くなったコーティングを柔らかくすると共に、定期的にクレーピングドクター装置を交換してドライヤー表面の平滑性を保っている。
従来から家庭用薄葉紙の抄造で使用するドクターブレードの材質には、高炭素鋼にクロム、モリブデン、タングステン、バナジウム、コバルトなどの合金元素を比較的多量に添加して熱処理を施した合金工具鋼鋼材（ＳＫＳ）を用いている（例えば、特許文献１参照）。
【特許文献１】特開昭５９−８８９９５号公報
【発明の開示】
【発明が解決しようとする課題】
【０００３】
しかしながら、このＳＫＳには摩擦熱による高温によく耐えるという性質があるが、それでも長時間使用するとドライヤー表面に熱融着したコーティング剤の粕を掻き落とす際の熱でドクターブレードの変形・磨耗が進み、それによりヤンキードライヤー表面の幅方向・流れ方向でコーティング粕が堆積し、結果として家庭用薄葉紙にカカレ穴等の品質異常が発生してしまう。したがって、家庭用薄葉紙の品質を維持するためには、ドクターブレードを頻繁に交換する必要があった。
また、クレーピングドクター装置において、ＳＫＳよりも耐熱性、耐摩耗性に優れるセラミックを溶射したブレードを用いるとドクター自身の磨耗は減少するが、家庭用薄葉紙の剥ぎ取りに適した圧力でクレーピングドクター装置をヤンキードライヤー表面に当てた場合、ドライヤー表面に形成されたコーティング膜まで剥ぎ取ってしまい、ドライヤーの表面や家庭用薄葉紙の品質に悪影響をあたえてしまうという問題があった。
そこで、本発明の主たる課題は、家庭用薄葉紙の品質を安定的に維持しつつ、クレーピングドクター装置の交換頻度を低減させるクリーニングドクター装置、並びにこれを用いた家庭用薄葉紙の製造方法及びこの方法により製造された家庭用薄葉紙を提供することにある。
【課題を解決するための手段】
【０００４】
上記課題を解決した本発明は、次のとおりである。
＜請求項１記載の発明＞
請求項１記載の発明は、ウェブが付着され、一定の乾燥を経た後、クレーピングドクター装置により表面から該ウェブが引き剥がされるヤンキードライヤーの表面に臨む位置に設けられ、このヤンキードライヤーの表面に施されたコーティングを均すクリーニングドクター装置であって、該クリーニングドクター装置のブレードは、セラミックブレードで構成され、クリーニングドクター装置のシリンダー圧は、０．６〜１．８ｋｇｆ／ｃｍ2である、ことを特徴とするクリーニングドクター装置である。
【０００５】
＜請求項２記載の発明＞
請求項２記載の発明は、ヤンキードライヤーの表面にウェブを付着させ、一定の乾燥を経た後、クレーピングドクター装置を介して該ウェブをヤンキードライヤーから引き剥がして家庭用薄葉紙を製造する方法であって、セラミックブレードで構成されたクリーニングドクター装置のブレードを用い、このクリーニングドクター装置のシリンダー圧を０．６〜１．８ｋｇｆ／ｃｍ2として、前記ヤンキードライヤーの表面に施されたコーティングを均す、ことを特徴とする家庭用薄葉紙の製造方法である。
【０００６】
＜請求項３記載の発明＞
請求項３記載の発明は、請求項２記載の家庭用薄葉紙の製造方法により製造されたことを特徴とする、家庭用薄葉紙である。
【０００７】
（作用効果）
クリーニングドクター装置のブレードをセラミックブレードで構成し、クリーニングドクター装置のシリンダー圧を０．６〜１．８ｋｇｆ／ｃｍ2とすることにより、コーティング膜の表層のコーティング粕のみを掻き取り、表層の凸凹を均してコーティング膜を効率よく平滑にすることができる。
その結果、クレーピングドクター装置のブレードの磨耗を軽減することができ、クレーピングドクター装置の交換周期を延長することができる。そのため、抄造効率が向上すると共に、ランニングコストを含む設備コストを低減させることができる。
また、ドライヤー表面を平滑にでき、ウェブのカカレ穴の発生を抑えて、品質を安定化させることができる。
さらに、ウェブから製造される家庭用薄葉紙の紙質において、ざらつき感を低減させることができる。すなわち、従来の家庭用薄葉紙では、柔らかさが従来ではＭＭＤ値で１０〜１２だったものが、７〜９まで低減させることができる。ここで、ＭＭＤ値とは、人が感じるざらつき感を示す数値であり、数値が大きいほどざらつき感が大きく、数値が小さいほどなめらかに感じることを示している。
【発明の効果】
【０００８】
本発明によれば、家庭用薄葉紙の品質を安定的に維持しつつ、クレーピングドクター装置のブレードの交換頻度を低減させることができる等の利点がもたらされる。
【発明を実施するための最良の形態】
【０００９】
以下、図１及び図２に基づき本発明の実施の形態を説明する。
ティシュー、トイレットペーパなどのクレープ紙等の家庭用薄葉紙は、加熱されたヤンキードライヤー２の表面にウェブＷを押しつけ付着させ、一定の乾燥を経た後、クレーピングドクター装置３を介してウェブＷをヤンキードライヤー２から引き剥がす工程を経て生産されている。
【００１０】
図１に示すように、ヤンキードライヤー２の表面には、コーティング剤やコーティング歩留剤がノズル４から散布されてコーティング膜が形成される。このコーティング膜の表面にウェブＷを付着させ、ヤンキードライヤー２によって乾燥させ、円筒状のヤンキードライヤー２の外周面の表面に臨む位置に設けられたクレーピングドクター装置３により引き剥がすものである。
【００１１】
クレーピングドクター装置３のドクターブレード１１は、コーティング膜の硬度よりも硬いと、ヤンキードライヤー２表面に形成されたコーティング膜まで剥ぎ取ってしまい、ドライヤー２の表面や家庭用薄葉紙の品質に悪影響を与えてしまう一方、軟すぎるとコーティング膜によりドクターブレード１１が磨耗し家庭用薄葉紙の品質に悪影響を与えてしまう。しかしながら、コーティング膜とドクターブレード１１の硬度を、使用条件下で同等程度とすると、クレーピングドクター装置３のドクターブレード１１でコーティング膜を平滑にコントロールすることは困難である。そこで、クレーピングドクター装置３の他に、クリーニングドクター装置１を設け、このクリーニングドクター装置１によりコーティング粕を掻き取らせ、コーティング膜を平滑にする役割を担わせている。
【００１２】
この場合、クレーピングドクター装置３は、専らウェブＷを引き剥がす役割を担っているので、ドクターブレード１１にはＳＫＳを用いている。クレーピングドクター装置３のシリンダー圧としては、１．４〜２．２ｋｇｆ／ｃｍ2が好適であり、最適には２．０ｋｇｆ／ｃｍ2である。ヤンキードライヤー２の外周の接線に対するドクターブレード１１の傾きＲ２としては、１４〜２０°が好適であり、最適角度は１９°である。また、ドクターブレード１１の刃先長さＬ２は３０〜５０ｍｍが好適であり、最適長さは４０ｍｍである。
【００１３】
コーティング膜の硬度は、ドクターブレード１１に用いられるＳＫＳブレードと同等程度とするため、コーティング剤には、ポリアミンポリアマイドポリマーを１６．５〜１８．５％配合していることが好ましい。また、コーティングの厚みとしては１．５〜１０ｍｇ／ｍ2が好ましく、最適な厚みとしては７ｍｇ／ｍ2である。さらに、ヤンキードライヤー２の表面温度としては、８５〜１２０℃が好適であり、最適な温度としては９８℃である。
【００１４】
本発明に係るクリーニングドクター装置１は、図１及び図２に示すように、この工程において、円筒状のヤンキードライヤー２の外周面の表面に臨む位置に設けられている。このクリーニングドクター装置１のブレード１０は、セラミックブレードを用いている。セラミックは、コーティング膜の硬度よりも硬いため、コーティング膜の表層の凸凹を容易に掻き取ることができる。
【００１５】
また、クリーニングドクター装置１のシリンダー圧としては、０．６〜１．８ｋｇｆ／ｃｍ2が好適であり、最適には１．０ｋｇｆ／ｃｍ2である。クレーピングドクター装置３よりも低いシリンダー圧とすることで、ドライヤー２表面のコーティング膜の表層のコーティング粕のみを掻き取るようにしている。ヤンキードライヤー２の外周の接線に対するドクターブレード１０の傾きＲ１としては、１４〜２０°が好適であり、最適角度は１９°である。また、ドクターブレード１０の刃先長さＬ１は３０〜５０ｍｍが好適であり、最適長さは４０ｍｍである。なお、クレーピングドクター装置３とクリーニングドクター装置１との刃先間の距離Ｌ３は、３５〜５５ｃｍが好適であり、最適には４５ｃｍである。
【００１６】
ドクターブレード１０にセラミックブレードを用いていること及び上記シリンダー圧に設定することにより、前述したように、コーティング膜の表層の凸凹を掻き取り、容易にコーティング膜を平滑に均すことができる。その結果、クレーピングドクター装置３のドクターブレード１１の磨耗を軽減することができ、従来では抄速１０７０〜１０９０ｍ／分の場合、１回当たり４〜６時間でドクターブレード１１を交換していたものが、１回当たり８〜１２時間と約２倍に交換周期を延長することができる。なお、好適な交換周期としては、１回当たり１０時間である。そのため、抄造効率が向上すると共に、ランニングコストを含む設備コストを低減させることができる。
【００１７】
また、ヤンキードライヤー２の表面が従来よりも平滑になることにより、ティシュー、トイレットペーパなどのクレープ紙等の家庭用薄葉紙を形成するウェブのカカレ穴の発生を抑えて、品質を安定化させることができる。また、家庭用薄葉紙の紙質において、滑らかさが従来ではＭＭＤ値で１０〜１２だったものが、７〜９まで低減させることができる。ここで、ＭＭＤ値とは、人が感じるざらつき感を示す数値であり、数値が大きいほどざらつき感が大きく、数値が小さいほどなめらかに感じることを示している。
【００１８】
このクリーニングドクター装置１のドクターブレード１０は、セラミックブレードを用いているが、アルミナ（耐熱性、耐薬品性、絶縁性に優れたセラミック素材）をプラズマ溶射したものが最も適しており、セラミック素材には他に、金属の熱膨張率に近いという特性を持つジルコニア、耐摩耗性に特に優れたクロミア等を用いることができる。
【図面の簡単な説明】
【００１９】
【図１】本発明に係るクリーニングドクター装置の概要を説明する側面図である。
【図２】その部分拡大図である。
【符号の説明】
【００２０】
１…クリーニングドクター装置、２…ヤンキードライヤー、３…クレーピングドクター装置、４…ノズル、１０…（クリーニング）ドクターブレード、１１…（クレーピング）ドクターブレード、Ｗ…ウェブ。
【図１】
2007177377.tif 000003
【図２】
2007177377.tif 000004